(57)【要約】【課題】デザインの自由度が向上し、より変化に富んだ装飾品を作ることができる装飾用光ファイバを提供する。【解決手段】本発明に係る装飾用光ファイバ１０では、ファイバ芯線１１の外周面に１または複数の切欠部１４が形成され、該切欠部１４の切り欠き段差面１３が光放出面に形成されていることを特徴とする。切欠部１４は周溝状に形成できる。また、ファイバ芯線１１の外周面を装飾材で被覆するようにしてもよい。【選択図】  図７
2005023493.tif 000002
【特許請求の範囲】
【請求項１】
ファイバ芯線先端の光放出面を他の部位よりも大径に形成したことを特徴とする装飾用光ファイバ。
【請求項２】
ファイバ芯線先端の光放出面を斜めにカットして形成したことを特徴とする装飾用光ファイバ。
【請求項３】
ファイバ芯線の外周面に１または複数の切欠部が形成され、該切欠部の切り欠き段差面が光放出面に形成されていることを特徴とする装飾用光ファイバ。
【請求項４】
前記切欠部が、外周面に形成された周溝であることを特徴とする請求項３記載の装飾用光ファイバ。
【請求項５】
少なくとも先端の光放出面を露出させてファイバ芯線の外周面を装飾材で被覆したことを特徴とする請求項１または２記載の装飾用光ファイバ。
【請求項６】
ファイバ芯線の外周面に金紙、銀紙等の装飾材が被覆され、該装飾材を含んでファイバ芯線外周面に１または複数の切欠部が形成され、該切欠部の切り欠き段差面が光放出面に形成されていることを特徴とする装飾用光ファイバ。
【請求項７】
ファイバ芯線の中途部が捩られる或いは曲折させられることにより該部位に歪みが生じ、該部位が光放出部に形成されていることを特徴とする装飾用光ファイバ。
【請求項８】
ファイバ芯線の中途部で２つ折りにされて、曲折部から先端までの外周面が光放出部に形成されていることを特徴とする請求項７記載の装飾用光ファイバ。
【請求項９】
請求項１〜８いずれか１項記載の装飾用光ファイバが複数本装飾部に用いられ、該装飾用光ファイバのファイバ芯線に光を導入する発光源を備えることを特徴とする装飾用光ファイバを用いた装飾品。
【発明の詳細な説明】
【０００１】
【発明の属する技術分野】
本発明は装飾用光ファイバおよびこれを用いた装飾品に関する。
【０００２】
【従来の技術】
光ファイバを用いた装飾品は、多数本のファイバ芯線を束ね、発光源（ＬＥＤ）からの光をファイバ芯線先端の光放出面から放出させるようにしたものである。ファイバ芯線は可撓性を有し、ファイバ芯線を多数本束ねた際には、多数本のファイバ芯線の先端側が外方に弧状に曲がって広がり、先端の光放出面が揺れたりすることから、面白みのある装飾品となすことができる。
また、これらの光ファイバ芯線の外表面に金紙、銀紙などの装飾材を被覆した水引様の装飾用光ファイバも知られている。
【０００３】
【特許文献１】
実開昭６２−６０２８３号公報。
【０００４】
【発明が解決しようとする課題】
しかしながら、上記装飾用の光ファイバはその光放出面がファイバ芯線の先端面に限られていることから、種々の異なる位置から光を放出させるには、長さの異なる多数本のファイバ芯線を束ねて用いるしかない。このように多数本のファイバ芯線を束ねると必然的に径が大きくなってしまい、自由な形状の装飾品を得ることができないという課題がある。
【０００５】
そこで、本発明は上記課題を解決すべくなされたものであり、その目的とするところは、デザインの自由度が向上し、より変化に富んだ装飾品を作ることができる装飾用光ファイバを提供するにある。
【０００６】
【課題を解決するための手段】
本発明は上記目的を達成するため次の構成を備える。
すなわち、本発明に係る装飾用光ファイバは、ファイバ芯線先端の光放出面を他の部位よりも大径に形成したことを特徴とする。
また、ファイバ芯線先端の光放出面を斜めにカットして形成したことを特徴とする。
また、ファイバ芯線の外周面に１または複数の切欠部が形成され、該切欠部の切り欠き段差面が光放出面に形成されていることを特徴とする。
また、前記切欠部が外周面に形成された周溝であることを特徴とする。
また、少なくとも先端の光放出面を露出させてファイバ芯線の外周面を装飾材で被覆したことを特徴とする。
また、ファイバ芯線の外周面に金紙、銀紙等の装飾材が被覆され、該装飾材を含んでファイバ芯線外周面に１または複数の切欠部が形成され、該切欠部の切り欠き段差面が光放出面に形成されていることを特徴とする。
また、ファイバ芯線の中途部が捩られる或いは曲折させられることにより該部位に歪みが生じ、該部位が光放出部に形成されていることを特徴とする。
また、ファイバ芯線の中途部で２つ折りにされて、曲折部から先端までの外周面が光放出部に形成されていることを特徴とする。
また、本発明に係る装飾品は、上記いずれかの装飾用光ファイバが複数本装飾部に用いられ、該装飾用光ファイバのファイバ芯線に光を導入する発光源を備えることを特徴とする。
【０００７】
【発明の実施の形態】
以下、本発明の好適な実施の形態を添付図面に基づいて詳細に説明する。
図１（正面図）、図２（側面図）に示す装飾用光ファイバ１０は、ファイバ芯線１１の先端面を斜めにカットした光放出面１２に形成した例を示す。この光放出面の、芯線中心軸に対する傾斜角度は特に限定されないが、概ね７０°程度が好ましい。このようにファイバ芯線１１を斜めにカットすることによって、広い面積の光放出面１２とすることができるので有利である。
なお、ファイバ芯線１１の材料は、樹脂、石英などを用いることができ、特に限定されない。またファイバ芯線１１の直径も特に限定されないが、装飾品に用いて有効な光量を得るためには、０．７５ｍｍ以上の径を有するファイバ芯線１１を用いるのが好ましい。以下の実施例でも同様である。
【０００８】
図３は、ファイバ芯線１１の先端面を他の部位よりも大径に形成し、広い面積の光放出面１２に形成した例を示す。本実施例でも、光放出面１２を広い面積に形成できるので、装飾品に用いて、種々のデザインのものとすることができる。
このようにファイバ芯線１１の先端を大径に形成するには、ファイバ芯線１１を金型を用いて所要形状に成形するようにするとよい。
【０００９】
図４（正面図）、図５（側面図）はさらに他の実施例を示す。
本実施例では、ファイバ芯線１１の外周面に切欠部１４を形成した例を示す。
ファイバ芯線１１にこの切欠部１４を形成することによって、ファイバ芯線１１の軸線と交差する切り欠き段差面１３が生じ、この切り欠き段差面１３が光放出面となる。すなわち、ファイバ芯線１１内を進行してきた光がこの切り欠き段差面１３からファイバ芯線１１外に放出されるのである。外部から見た場合には、上記光放出面１２と同様に、切り欠き段差面１３が光り輝く面として認識されるのである。
この切欠部１４を任意の形状とし、任意の形状の切り欠き段差面１３とすることで装飾的効果も大きくなる。
この切欠部１４は光量に応じて複数、任意の配置に設けることができる。もちろん、ファイバ芯線１１の先端面からの光放出も維持することができる。
【００１０】
図６は、ファイバ芯線１１に設ける切欠部１４を、ファイバ芯線１１に断面Ｖ字状に食い込む周溝状に形成した例を示す。図示の例では、太さ０．７５ｍｍのファイバ芯線１１に深さ約０．２ｍｍとなる周溝（切欠部）１４を３本形成したものである。この周溝１４を形成することによって、やはりファイバ芯線１１の軸線と交差するリング状の切り欠き段差面が生じ、この切り欠き段差面から光が放出される。外部からは、切り欠き段差面が３重のリング状に光り輝いて見え、その装飾的効果を大きい。
【００１１】
図７は、図６に示す３本ずつの周溝を、ファイバ芯線１１の長手方向に適宜の間隔をおいて１０個所（合計３０本）程形成した例を示す。
ファイバ芯線１１に導入する光量にもよるが、各周溝の切り欠き段差面から有効に光を放出させることができた。
【００１２】
上記各実施例では、裸のファイバ芯線１１を用いたが、図１や図３に示すファイバ芯線１１の外周面に、少なくとも先端の光放出面１２を露出させて装飾材（図示せず）で被覆して、水引様の装飾用光ファイバに形成してもよい。
装飾材としては、糊付きの金紙あるいは銀紙等の装飾用テープを巻きつけるようにしてもよいし、さらにその上に、色付きの糸（あるいは紐）を巻きつけて水引様とすることができる。
【００１３】
図８は、ファイバ芯線１１上に装飾材１６を被覆し、さらにファイバ芯線１１外周面に切欠部１４を形成した例を示す。切欠部１４の形状は、周溝その他任意の形状のものを採用できる。
本実施例では、水引様の装飾用光ファイバ１０の中途部から光が放出されるので、その装飾的効果は大きい。
【００１４】
図９はさらに他の実施例を示す。
本実施例では、ファイバ芯線１１に設けた周溝等の切欠部１４の近くに、切欠部１４の切り欠き段差面から放出される光が反射される鍔状の反射板を有する反射部材１８が取り付けられた例を示す。反射部材１８はそのリング部にファイバ芯線１１が挿通されることによって、ファイバ芯線１１の外周面上の適宜位置に保持されるようになっている。
本実施例では、切り欠き段差面から放出される光が反射板によって反射されるので、さらに複雑なデザイン構成とすることができる。
また、ファイバ芯線１１の中途部で曲折させる、或いは捩じることにより歪みを生じさせて、歪みの生じた部位を光放出部とすることもできる。
例えば、図１１に示すように、装飾用光ファイバ１０の光放出面である先端面３２に近い中途部で２つ折りにして光ファイバを重ねると、その曲折部３０は勿論のこと、曲折部３０と先端面３２との間の外周面３１からも光を放出させることができる。一旦、２つ折りにしてファイバ芯線１１に歪みを形成してしまえば、後は伸ばした状態に戻しても、外周面から光を放出させることができる。また、図１１のように、２つ折りにした状態を保持すると、先端面３２と曲折部３０で強い光が放出され、外周面３１からはこれよりも弱い光が放出される。
この場合も、光が放出される先端面３２、曲折部３０および外周面３１を露出させた状態でファイバ芯線の外周面を装飾材により被覆して、水引様の装飾用光ファイバとすることができる。
【００１５】
図１０は、上記装飾用光ファイバ１０を用いて、装飾品として花飾り２０に適用した例を示す。
例えば、花弁２１の部位には、適宜通常の水引などを用いて花弁の形状に形成する。花芯２２には、例えば、図３に示すような、先端部を大径に形成した装飾用光ファイバを用いる。
茎２３の部位には適宜通常の水引などを用いる。葉２４の部位には、葉の外形を水引で形成し、葉脈の部位に、例えば図８に示す装飾用光ファイバ１０を用いて、葉脈の中途部から、複数のリング状の光が放出されるようにする。或いは、葉脈の部位に、図１１に示した外周面から光が放出される装飾用光ファイバ１０を用いてもよい。この場合、より葉脈らしさを作り出すことができる。
装飾用光ファイバ１０の中途部に、何個所もの光放出面を形成できるから、従来の先端面のみから光が放出されるのに比して、デザイン面で自由度が大きくなって好適である。また、用いる装飾用光ファイバ１０の本数も減じることができ、小型化、コストの低減化が図れる。
【００１６】
ファイバ芯線１１には、ＬＥＤ等の発光源２５から光を導く。発光源２５からの光を効率よくファイバ芯線１１に導入するために、適宜集光レンズなどを用いるとよい。また、ＬＥＤには赤、黄、緑の３色を用いると好適である。
以上本発明の好適な実施例について説明したが、本発明はこの実施例に限定されるものでないことは勿論である。
【００１７】
【発明の効果】
以上のように、本発明によれば、デザインの自由度が向上し、より変化に富んだ装飾品を作ることができる装飾用光ファイバおよびこれを用いた装飾品を提供できる。
【図面の簡単な説明】
【図１】第１の実施例を示す正面図、
【図２】第１の実施例の側面図、
【図３】先端を大径に形成した実施例を示す説明図、
【図４】切欠部を形成した例を示す正面図、
【図５】切欠部を形成した例を示す側面図、
【図６】切欠部を周溝にした例を示す説明図、
【図７】周溝を多数設けた例を示す説明図、
【図８】外周面を装飾材で被覆した例を示す説明図、
【図９】反射部材を取り付けた例を示す説明図、
【図１０】装飾品に適用した例を示す説明図、
【図１１】ファイバ芯線を曲折させて歪みを形成する際の状態を示す説明図である。
【符号の説明】
１０  装飾用光ファイバ
１１  ファイバ芯線
１２  光放出面
１３  切り欠き段差面
１４  切欠部
１６  装飾材
１８  反射部材
２０  装飾品
２１  花弁
２２  花芯
２３  茎
２４  葉
２５  発光源
【図１】
2005023493.tif 000003
【図２】
2005023493.tif 000004
【図３】
2005023493.tif 000005
【図４】
2005023493.tif 000006
【図５】
2005023493.tif 000007
【図６】
2005023493.tif 000008
【図７】
2005023493.tif 000009
【図８】
2005023493.tif 000010
【図９】
2005023493.tif 000011
【図１０】
2005023493.tif 000012
【図１１】
2005023493.tif 000013